(57)【要約】【課題】入力信号のピークレベルを抑圧するピークレベル抑圧部を有する送信機で、例えば、全てのピーク電力を確実に抑圧する。【解決手段】ピークレベル抑圧部１では、レベル検出手段１１が入力信号のレベルを検出し、ピークレベル検出手段１２が検出されたレベル及び所定の閾値に基づいてピークレベルを検出し、抑圧率取得手段１３、１４が検出されたピークレベル及び前記所定の閾値を用いてピークレベルを抑圧するための抑圧率を２種類以上取得し、抑圧率決定手段１５が取得された２種類以上の抑圧率に基づいて１つの抑圧率を決定し、抑圧手段１６、１７が決定された抑圧率を用いて入力信号のピークレベルを抑圧する。【選択図】  図１
2009130662.tif 000002
【特許請求の範囲】
【請求項１】
入力信号のピークレベルを抑圧するピークレベル抑圧部を有する送信機において、
前記ピークレベル抑圧部は、前記入力信号のレベルを検出するレベル検出手段と、
前記レベル検出手段により検出されたレベル及び所定の閾値に基づいてピークレベルを検出するピークレベル検出手段と、
前記ピークレベル検出手段により検出されたピークレベル及び前記所定の閾値を用いて、ピークレベルを抑圧するための抑圧率を２種類以上取得する抑圧率取得手段と、
前記抑圧率取得手段により取得された２種類以上の抑圧率に基づいて１つの抑圧率を決定する抑圧率決定手段と、
前記抑圧率決定手段により決定された抑圧率を用いて前記入力信号のピークレベルを抑圧する抑圧手段と、を備えた、
ことを特徴とする送信機。
【発明の詳細な説明】
【技術分野】
【０００１】
本発明は、例えば、送信信号のピーク電力を抑圧するピーク電力抑圧部を有する送信機に関し、特に、全てのピーク電力を確実に抑圧することができるピーク電力抑圧部を有する送信機に関する。
【背景技術】
【０００２】
例えば、広帯域符号分割多重アクセス通信（Ｗ−ＣＤＭＡ：Ｗｉｄｅｂａｎｄ−Ｃｏｄｅ  Ｄｉｖｉｓｉｏｎ  Ｍｕｌｔｉｐｌｅ  Ａｃｃｅｓｓ）方式や直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式等を使用して無線通信を行う移動体通信システムの送信機では、送信信号に発生するピーク電力を検出して抑圧するピーク電力抑圧部が設けられる（例えば、特許文献１、２参照。）。
【０００３】
図７には、ピーク電力抑圧部７１の内部の構成例を示してある。
ここで、本例のピーク電力抑圧部７１の構成や動作としては、例えば、後述する実施例で参照する図１に示されるものと比べて、概略的には、抑圧率選択部１５が備えられていない点を除いては、同様な処理部１１〜１４、１６、１７を備えており同様な動作が行われる。なお、これら同様な処理部１１〜１４、１６、１７については、図７と図１とで同一の符号を付してあるが、ここでは、本発明を不要に限定する意図は無い。
また、後述する実施例で参照する図２には、窓関数格納用のＲＯＭ３１〜３３や窓関数乗算用の乗算器４１〜４３などを備えた窓関数乗算部１４の内部の構成例が示されている。
【０００４】
ここで、送信増幅器（送信機の一例）において、送信信号にピーク電力抑圧処理を施す技術は、送信信号のピーク電力対平均電力比（ＰＡＰＲ：Ｐｅａｋ  ｔｏ  Ａｖｅｒａｇｅ  Ｐｏｗｅｒ  Ｒａｔｉｏ）を小さくし、電力増幅器（ＰＡ）のバックオフを小さくしてその電力効率を高めるための重要な技術である。また、ＰＡＰＲが低ければ、それだけ飽和レベルの低い電力増幅器を用いることができ、電力増幅器のコスト削減につながる。
【０００５】
【特許文献１】特開２００５−０２０５０５号公報
【特許文献２】国際公開第２００６／０４９１４０号パンフレット
【発明の開示】
【発明が解決しようとする課題】
【０００６】
上記した図７に示されるようなピーク電力抑圧部７１では、窓関数乗算部１４による窓関数乗算処理により、ピーク電力抑圧によって発生する歪の周波数帯域をキャリア近傍に抑制する手法が検討等されているが、例えば、ピーク電力抑圧部７１をＦＰＧＡ（Ｆｉｅｌｄ  Ｐｒｏｇｒａｍｍａｂｌｅ  Ｇａｔｅ  Ａｒｒａｙ）などのハードウエアを用いて実現する場合には、回路規模上の制約により、並列動作することが可能な窓関数格納用のＲＯＭと窓関数乗算用の乗算器の数に制限が与えられてしまうという問題があった。そして、このような場合に、ピーク電力を検出するための閾値を下げたことなどにより、送信信号のピーク電力発生確率が高くなったようなときには、全てのピーク電力に対して窓関数乗算処理を施すことができず、対応することができないピーク電力を残してしまう現象が発生するという問題があった。
【０００７】
本発明は、このような従来の事情に鑑み為されたもので、例えば、送信信号のピーク電力発生確率が高くなったようなときにおいても、全てのピーク電力を確実に抑圧することができるピーク電力抑圧部を有する送信機を提供することを目的とする。
【課題を解決するための手段】
【０００８】
上記目的を達成するため、本発明では、入力信号のピークレベルを抑圧するピークレベル抑圧部を有する送信機において、前記ピークレベル抑圧部を次のような構成とした。
すなわち、前記ピークレベル抑圧部では、レベル検出手段が、前記入力信号のレベルを検出する。ピークレベル検出手段が、前記レベル検出手段により検出されたレベル及び所定の閾値に基づいて、ピークレベルを検出する。抑圧率取得手段が、前記ピークレベル検出手段により検出されたピークレベル及び前記所定の閾値を用いて、ピークレベルを抑圧するための抑圧率を２種類以上取得する。抑圧率決定手段が、前記抑圧率取得手段により取得された２種類以上の抑圧率に基づいて、１つの抑圧率を決定する。抑圧手段が、前記抑圧率決定手段により決定された抑圧率を用いて、前記入力信号のピークレベルを抑圧する。
【０００９】
従って、ピークレベルを抑圧するための抑圧率が２種類以上取得されて、これら２種類以上の抑圧率に基づいて１つの抑圧率が決定されて用いられるため、例えば、１種類のみの抑圧率を取得して用いるように固定されているような場合と比べて、良好な抑圧率を用いることが可能となる。一例として、入力信号（例えば、送信信号）のピークレベル（例えば、ピーク電力）の発生確率が高くなったようなときにおいても、全てのピークレベル（例えば、ピーク電力）を確実に抑圧することを可能とすることができる。
【００１０】
ここで、送信機としては、例えば、無線の送信機が用いられてもよく、或いは、有線の送信機が用いられてもよい。また、送信機と受信機の両方の機能が設けられた通信機（通信装置）に適用されてもよい。
また、入力信号としては、種々な信号が用いられてもよく、例えば、送信機により送信する対象となる信号（送信信号）が用いられる。
また、レベルとしては、例えば、電力のレベルや、振幅のレベルなど、種々なものが用いられてもよい。
【００１１】
また、入力信号のレベルに関する所定の閾値としては、種々な値が用いられてもよい。
また、ピークレベルを検出する手法としては、種々なものが用いられてもよく、例えば、入力信号のレベルが所定の閾値以上であった場合（又は、所定の閾値を超えた場合）に、そのタイミング（例えば、サンプリングにおけるそのサンプル）にピークレベルが発生したとみなして検出するような態様を用いることができる。
【００１２】
また、ピークレベルと所定の閾値を用いて抑圧率を取得する手法としては、種々なものが用いられてもよく、例えば、ピークレベルと所定の閾値との比を用いた所定の演算式を使用して抑圧率を算出して取得するような手法を用いることができる。
また、２種類以上の抑圧率の数としては、種々な数が用いられてもよい。
また、２種類以上の抑圧率としては、種々なものが用いられてもよく、例えば、ピークレベルを所定の閾値にまで抑圧するための抑圧率や、その抑圧率に所定の窓関数を掛けた結果として得られる抑圧率などを用いることができる。また、窓関数としては、種々なものが用いられてもよい。
【００１３】
また、２種類以上の抑圧率に基づいて１つの抑圧率を決定する手法としては、種々なものが用いられてもよく、例えば、最も値が大きいものを選択するなどの所定の条件に基づいて、２種類以上の抑圧率の中から１つの抑圧率を選択して決定する手法や、或いは、２種類以上の抑圧率の値をパラメータとして用いる所定の演算式を使用してその演算結果の値を１つの抑圧率として決定する手法などを用いることができる。
また、（最終的に）決定された１つの抑圧率を用いて入力信号のピークレベルを抑圧する手法としては、種々なものが用いられてもよい。
また、ピークレベルを抑圧する目標となる値（例えば、所定の閾値に相当するレベルなど）としては、必ずしも厳密に実現されなくてもよく、例えば、実用上で有効であれば、目標となる値からのずれがあってもよい。
【発明の効果】
【００１４】
以上説明したように、本発明に係るピークレベル抑圧部を有する送信機によると、例えば、送信信号のピーク電力発生確率が高くなったようなときにおいても、全てのピーク電力を確実に抑圧することができる。
【発明を実施するための最良の形態】
【００１５】
本発明に係る実施例を図面を参照して説明する。
図１には、本発明の一実施例に係るピーク電力抑圧部１の内部の構成例を示してある。
本例のピーク電力抑圧部１は、電力算出部１１と、ピーク電力検出部１２と、ピーク抑圧率算出部１３と、窓関数乗算部１４と、抑圧率選択部１５と、乗算器１６と、減算器１７を備えている。
【００１６】
本例のピーク電力抑圧部１において行われる動作の一例を示す。
ピーク電力抑圧部１には、例えば、当該ピーク電力抑圧部１が備えられた送信機における送信信号が入力される。この入力信号は、電力算出部１１と乗算器１６と減算器１７に入力される。本例では、入力信号は、Ｉ相成分とＱ相成分からなる複素信号である。
電力算出部１１は、ピーク電力抑圧部１への入力信号に対してサンプル毎の電力値を計算して、その結果をピーク電力検出部１２へ出力する。ここで、サンプル毎の電力値Ｐｏｗｅｒは、入力信号のＩ相成分の値ＩとＱ相成分の値Ｑから（式１）により算出される。
【００１７】
【数１】
2009130662.tif 000003
【００１８】
ピーク電力検出部１２では、例えばメモリに所定の閾値となる電力値（閾値電力値）が設定されて記憶されており、サンプル毎に、電力算出部１１から入力されたサンプル毎の電力値と設定されている閾値電力値とを比較して、閾値電力値よりも大きい電力値であるサンプル（電力値）をピーク電力値であると判断して、その結果として例えばそのサンプルの電力値（ピーク電力値）をピーク抑圧率算出部１３へ出力する。
【００１９】
ピーク抑圧率算出部１３では、例えばメモリに所定の閾値となる電力値（閾値電力値）が設定されて記憶されており、或いは、他の構成例として、ピーク電力検出部１２からピーク抑圧率算出部１３へ閾値電力値を通知する構成として、閾値電力値を把握する。
そして、ピーク抑圧率算出部１３では、ピーク電力検出部１２から入力されたピーク電力値と閾値電力値との比の値を計算して、ピーク電力値を抑圧するための抑圧率（ピーク抑圧率）の値を算出し、その結果を窓関数乗算部１４及び抑圧率選択部１５へ出力する。本例では、ピーク抑圧率の値として、ピーク電力値を閾値電力値のレベルにまで抑圧するための比率の値が用いられる。
ここで、ピーク抑圧率としては、種々な方法により算出されてもよく、一例として、ピーク電力値Ｐｏｗｅｒ及び閾値電力値Ｔｈｒｅｓｈについて、（式２）により算出することができる。
【００２０】
【数２】
2009130662.tif 000004
【００２１】
窓関数乗算部１４では、例えば予めＲＯＭ（Ｒｅａｄ  Ｏｎｌｙ  Ｍｅｍｏｒｙ）などの記憶装置に窓関数の情報が設定されて記憶されており、ピーク抑圧率算出部１３から入力されたピーク抑圧率の値と設定されている窓関数とを乗算して、その乗算結果により得られる抑圧率（窓関数抑圧率）の値を抑圧率選択部１５へ出力する。このようにして決定される窓関数抑圧率は、ピーク電力値のサンプルとその周辺のサンプルに対する抑圧率となる。
【００２２】
ここで、窓関数を乗算する態様として、例えば、ピーク電力値が連続して検出された場合には、連続したピーク電力値の中で最大値（最大レベル）となるピーク電力値を選択して窓関数を乗算する態様を用いると、最大ピークの周りのピーク電力もうまく抑圧されると考えられる。
また、窓関数としては、種々なものが用いられてもよく、良い特性が得られる最適なものを選択して使用するのが好ましい。具体的には、窓関数としては、（式３）に示されるハニング窓ｗ（ｔ）や、（式４）に示されるガウス窓ｗ（ｔ）や、（式５）に示されるカイザー窓ｗ（ｔ）などが知られている。
【００２３】
【数３】
2009130662.tif 000005
【００２４】
【数４】
2009130662.tif 000006
【００２５】
【数５】
2009130662.tif 000007
【００２６】
ここで、本例の窓関数乗算部１４の内部の構成例について説明する。
本例の窓関数乗算処理では、例えば、ＲＯＭなどの記憶装置に記憶された窓関数データを読み込んでピーク抑圧率の信号に１サンプル毎に乗算する処理を行っており、１つの窓関数格納用のＲＯＭと１つの乗算器とがペアとなる。また、或るＲＯＭと乗算器のペアを使用して或る１つのピーク電力に対して窓関数乗算処理を行っている間は、そのＲＯＭと乗算器を使用中であるため、同じＲＯＭと乗算器を使用して他のピーク電力に対して窓関数乗算処理を行うことはできない。そこで、例えば、窓関数格納用のＲＯＭと乗算器とのペアを複数個設けて並列処理を行うことにより、ピーク電力の発生確率が高くても対応することが可能な構成とすることができる。
【００２７】
図２には、窓関数乗算部１４の内部の構成例を示してある。
本例では、窓関数乗算部１４が窓関数格納用のＲＯＭと乗算器とのペアを３組有する構成例を示してある。
具体的には、本例の窓関数乗算部１４は、スイッチ回路２１と、３個の窓関数格納用のＲＯＭ３１〜３３と、３個の窓関数乗算用の乗算器（窓関数乗算器）４１〜４３と、合成部２２を備えている。
【００２８】
本例の窓関数乗算部１４において行われる動作の一例を示す。
スイッチ回路２１では、３個の乗算器４１〜４３のうちから使用する１個の乗算器を選択し、ピーク抑圧率算出部１３から入力されたピーク抑圧率の値を選択した乗算器へ出力するように、３個の乗算器４１〜４３との接続状態を切り替える。このような切り替え（スイッチング）の制御方法としては、種々なものが用いられてもよく、例えば最も簡単なものの一つとして、３個の乗算器４１〜４３を順番に切り替えて使用する制御方法がある。
【００２９】
各ＲＯＭ３１〜３３は、窓関数の情報を格納しており、それぞれ、各乗算器４１〜４３と対応している。
各乗算器４１〜４３は、それぞれに接続されているＲＯＭ３１〜３３から読み込んだ窓関数の値とスイッチ回路２１から入力されたピーク抑圧率の値とを乗算して、その乗算結果の値を合成部２２へ出力する。
合成部２２は、全ての乗算器４１〜４３から入力される値を合成（加算）して、その合成結果である１つのピーク電力抑圧率の信号を窓関数抑圧率の信号として抑圧率選択部１５へ出力する。
【００３０】
なお、窓関数乗算部１４の内部に設けられる窓関数格納用のＲＯＭと窓関数乗算用の乗算器の数としては、多いほど、ピーク発生確率が高い信号に対応することができて品質上改善するが、その一方で回路規模の増大による装置コストのアップが生じるため、ピーク電力の抑圧対象となる信号と閾値電力値などを考慮して最適な数が用いられるのが好ましい。
【００３１】
抑圧率選択部１５は、本例では、ピーク抑圧率算出部１３から入力されたピーク抑圧率の値と窓関数乗算部１４から入力された窓関数抑圧率の値のうちの一方を選択して乗算器１６へ出力する。具体的には、本例の抑圧率選択部１５は、サンプル毎に、ピーク抑圧率の値と窓関数抑圧率の値のうちで、値が大きい方を選択して乗算器１６へ出力する。
この場合、例えば、窓関数が乗算された抑圧率（窓関数抑圧率）では閾値レベルにまで信号レベルを抑圧することができないピーク電力があったようなときにおいても、閾値レベルにまで信号レベルを抑圧することが可能な抑圧率（ピーク抑圧率）が選択されて使用されることにより、全てのピーク電力を確実に閾値レベルにまで抑圧することができる。
【００３２】
ここで、抑圧率選択部１５において、ピーク抑圧率の値と窓関数抑圧率の値に基づいて乗算器１６へ出力する値としては、種々な手法により得られる値が用いられてもよく、他の構成例として、ピーク抑圧率算出部１３から入力されるピーク抑圧率の値と窓関数乗算部１４から入力される窓関数抑圧率の値のそれぞれに対して適当な比率を掛けて加算した結果を乗算器１６へ出力するような制御手法や、或いは、窓関数乗算部１４から入力される窓関数抑圧率の値の信号と他の処理を施したピーク抑圧率の値の信号に対して信号選択処理を行うような制御手法が用いられてもよい。
【００３３】
乗算器１６は、抑圧率選択部１５から入力された値（本例では、ピーク抑圧率の値と窓関数抑圧率の値の一方）とピーク電力抑圧部１への入力信号とをサンプル毎に乗算し、その結果の信号（ピーク電力抑圧信号）を減算器１７へ出力する。ここで、窓関数抑圧率の値が用いられる場合には、窓掛け処理により、周波数帯域がキャリア近傍に抑制されたピーク電力抑圧信号が生成される。
減算器１７は、ピーク電力抑圧部１への入力信号（本例では、送信信号）から、乗算器１６から入力されたピーク電力抑圧信号を減算し、その結果の信号をピーク電力抑圧後の入力信号として出力する。本例では、入力信号（送信信号）に存在するピーク電力が、設定された閾値レベルにまで抑圧される。
【００３４】
図３には、本例のピーク電力抑圧部１を適用した送信機の構成例を示してある。
本例の送信機は、例えば、無線通信を行う無線通信装置に設けられている。
本例の送信機は、デジタル変調部５１と、ピーク電力抑圧部１と、Ｄ／Ａ（Ｄｉｇｉｔａｌ  ｔｏ  Ａｎａｌｏｇ）コンバータ５２と、周波数変換部５３を備えている。
【００３５】
本例の送信機において行われる動作の一例を示す。
デジタル変調部５１は、入力されたベースバンド信号に対して、例えば、帯域制限、アップサンプリング、デジタル直交変調、マルチキャリア合成などの処理を行い、その結果の信号（送信信号）をピーク電力抑圧部１へ出力する。
ピーク電力抑圧部１は、デジタル変調部５１から入力された信号のピーク電力を閾値レベルにまで抑圧して、Ｄ／Ａコンバータ５２へ出力する。
【００３６】
Ｄ／Ａコンバータ５２は、ピーク電力抑圧部１から入力された信号（ピーク電力抑圧後の送信信号）をデジタル信号からアナログ信号へ変換して、周波数変換部５３へ出力する。
周波数変換部５３は、例えば、アナログ直交変調器から構成されており、Ｄ／Ａコンバータ５２から入力された信号の周波数を希望の無線周波数（ＲＦ：Ｒａｄｉｏ  Ｆｒｅｑｕｅｎｃｙ）帯の周波数へ周波数変換して、その結果の信号を出力する。この出力信号は、例えば、送信機に備えられたアンテナ（図示せず）から無線により送信される。
【００３７】
図４には、本例のピーク電力抑圧部１を適用した送信増幅器（送信機の一例）の構成例を示してある。
本例の送信増幅器は、例えば、無線通信を行う無線通信装置に設けられている。
本例の送信増幅器は、デジタル変調部５１と、ピーク電力抑圧部１と、Ｄ／Ａコンバータ５２と、周波数変換部５３と、電力増幅器６１を備えている。
ここで、電力増幅器６１以外の処理部１、５１〜５３の構成や動作としては、例えば、図３に示されるものと同様である。
【００３８】
本例の送信増幅器においては、周波数変換部５３からの出力信号が電力増幅器６１に入力される。電力増幅器６１は、周波数変換部５３から入力された信号に対して電力増幅を行い、その結果の信号を出力する。この出力信号は、例えば、送信増幅器に備えられたアンテナ（図示せず）から無線により送信される。
なお、図３に示される送信機や図４に示される送信増幅器の構成や動作としては、本例の構成や動作に限られず、種々なものが用いられてもよい。
【００３９】
以上のように、本例のピーク電力抑圧部１では、その内部に、デジタル送信信号のピーク電力を抑圧するための値（抑圧率）を算出する処理部（本例では、ピーク抑圧率算出部１３と窓関数乗算部１４）を複数（２個以上）備えており、これら複数の処理部により算出される値（抑圧率）の中から１つを抑圧率選択部１５により選択して使用する（又は、これらの値（抑圧率）に基づいて、予め設定された手法により求められたものを使用する）ことが行われる。
【００４０】
具体的には、本例のピーク電力抑圧部１では、電力算出部１１によりピーク電力抑圧部１への入力信号の瞬時電力の値を求め、ピーク電力検出部１２により前記求められた電力値とピーク検出用の閾値電力値とを比較して閾値電力値よりもレベルが大きい電力値を有するサンプル（電力値）をピーク電力として検出し、ピーク電力抑圧率算出部１３により前記検出されたピーク電力の値と閾値電力値との比からピーク電力を閾値レベルにまで抑圧するための抑圧率（ピーク抑圧率）を算出し、窓関数乗算部１４により前記算出されたピーク抑圧率に対して窓関数を乗算して抑圧率（窓関数抑圧率）を算出し、抑圧率選択部１５により前記ピーク抑圧率と前記窓関数抑圧率について例えばサンプル毎に値を比較してピーク電力の抑圧に最適な方を選択して（又は、これらの値（抑圧率）に基づいて、予め設定された手法により最適な抑圧率の値を演算などにより求めて）出力し、乗算器１６により前記出力された抑圧率の値とピーク電力抑圧部１への入力信号とを乗算してピーク電力抑圧信号を生成し、減算器１７によりピーク電力抑圧部１への入力信号から前記ピーク電力抑圧信号を減算して、ピーク電力が抑圧された信号を生成することが行われる。
【００４１】
従って、本例のピーク電力抑圧部１では、例えば、窓関数が乗算された抑圧率と窓関数が乗算されていない抑圧率のうちで大きい方を選択するなどしてピーク電力抑圧信号を生成することにより、確実に全てのピーク電力を抑圧することができ、通信の品質を向上させることができる。
なお、上記した（発明が解決しようとする課題）で述べたような問題点は、例えば、ピーク電力抑圧部を２段（又は、必要に応じて、それ以上の段数）の構成とすることによっても回避することが可能であるが、本例では、回路構成を工夫することにより、１段のピーク電力抑圧部１でも問題解消を実現することを可能としており、例えば、回路規模や装置のコストアップを抑えたピーク電力抑圧部を実現することが可能である。
【００４２】
ここで、本例のピーク電力抑圧部１により得られる効果の具体例を示す。
図５には、ＯＦＤＭ方式の送信信号が使用される場合について、入力信号の一例を示してあるとともに、図７に示されるピーク電力抑圧部７１（従来技術）を用いたときと、図１に示される本例のピーク電力抑圧部１（本提案）を用いたときについて、ピーク検出用の閾値を同じレベル（ＰＡＰＲ＝７．０ｄＢ）に設定して計算機シミュレーションにより取得した相補累積分布関数（ＣＣＤＦ：Ｃｏｍｐｌｅｍｅｎｔａｒｙ  Ｃｕｍｕｌａｔｉｖｅ  Ｄｉｓｔｒｉｂｕｔｉｏｎ  Ｆｕｎｃｔｉｏｎ）曲線の一例を示してある。なお、横軸はＰＡＰＲ［ｄＢ］を表しており、縦軸はピーク発生確率［％］を表している。
図５に示されるように、従来技術に係るピーク電力抑圧部７１からの出力信号ではピーク電力が残ってしまうが、本例のピーク電力抑圧部１からの出力信号では全てのピーク電力を閾値レベルにまで抑圧できていることが確認される。
【００４３】
図６（ａ）には、本例のピーク電力抑圧部１に対する入出力信号の時間−電力の波形のイメージの一例を示してある。横軸は時間（Ｔｉｍｅ）を表しており、縦軸は電力（Ｐｏｗｅｒ）を表している。また、入力信号（Ｉｎｐｕｔ）と、出力信号（Ｏｕｔｐｕｔ）と、閾値（Ｔｈｒｅｓｈ）を示してある。
図６（ａ）に示されるように、本例では、ピーク電力の抑圧ミスがなくなっていることが確認される。
【００４４】
図６（ｂ）には、図７に示されるピーク電力抑圧部７１に対する入出力信号の時間−電力の波形のイメージの一例を示してある。横軸は時間（Ｔｉｍｅ）を表しており、縦軸は電力（Ｐｏｗｅｒ）を表している。また、入力信号（Ｉｎｐｕｔ）と、出力信号（Ｏｕｔｐｕｔ）と、閾値（Ｔｈｒｅｓｈ）を示してある。
図６（ｂ）に示されるように、従来技術では、ピーク電力の抑圧不足が発生してしまうことがあった。
【００４５】
以上の結果に示されるように、本例のピーク電力抑圧部１を用いることにより、送信信号のピーク電力を確実に閾値レベルにまで抑圧することができ、品質の高いピーク電力の抑圧を実現することができる。
【００４６】
なお、本例の送信機では、ピーク電力抑圧部１（ピークレベル抑圧部の一例）において、電力算出部１１の機能により入力信号（本例では、送信信号）のレベル検出手段が構成されており、ピーク電力検出部１２の機能によりピークレベル検出手段が構成されており、ピーク抑圧率を算出するピーク抑圧率算出部１３の機能や窓関数抑圧率を算出する窓関数乗算部１４の機能により２種類以上の抑圧率を取得する抑圧率取得手段が構成されており、２種類以上の抑圧率から１つの抑圧率を決定（本例では、選択）する抑圧率選択部１５の機能により抑圧率決定手段が構成されており、決定された１つの抑圧率を用いて乗算器１６や減算器１７により入力信号のピークレベルを抑圧する機能により抑圧手段が構成されている。
【００４７】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００４８】
【図１】本発明の一実施例に係るピーク電力抑圧部の構成例を示す図である。
【図２】窓関数乗算部の構成例を示す図である。
【図３】送信機の構成例を示す図である。
【図４】送信増幅器の構成例を示す図である。
【図５】計算機シミュレーションにより取得されたピーク電力抑圧部からの出力信号に関するＣＣＤＦ曲線の一例を示す図である。
【図６】（ａ）は本発明の一実施例に係るピーク電力抑圧部に対する入出力信号の時間−電力の波形のイメージの一例を示す図であり、（ｂ）は従来技術に係るピーク電力抑圧部に対する入出力信号の時間−電力の波形のイメージの一例を示す図である。
【図７】従来技術に係るピーク電力抑圧部の構成例を示す図である。
【符号の説明】
【００４９】
１、７１・・ピーク電力抑圧部、  １１・・電力算出部、  １２・・ピーク電力検出部、  １３・・ピーク抑圧率算出部、  １４・・窓関数乗算部、  １５・・抑圧率選択部、  １６、４１〜４３・・乗算器、  １７・・減算器、  ２１・・スイッチ回路、  ２２・・合成部、  ３１〜３３・・ＲＯＭ、  ５１・・デジタル変調部、  ５２・・Ｄ／Ａコンバータ、  ５３・・周波数変換部、  ６１・・電力増幅器、
【図１】
2009130662.tif 000008
【図２】
2009130662.tif 000009
【図３】
2009130662.tif 000010
【図４】
2009130662.tif 000011
【図５】
2009130662.tif 000012
【図６】
2009130662.tif 000013
【図７】
2009130662.tif 000014